(57)【要約】【課題】本発明は、通信線の余長処理をすることが容易に且つ安全に行うことができる余長収納ユニットを提供することを目的としている。【解決手段】本発明に係る余長収納ユニット５は、通信用ユニット４に隣接する段に配置し、通信用ユニット４の出線開口部１１に嵌合可能である突起１０を設け、通信用ユニット４のスライド動作に連動させると共に、余長収納ユニット５には伸曲自在のフレキシブルダクト１２を取り付け、通信用ユニット４から出線された通信線を、通信用ユニット４に設けられた出線開口部１１を通して余長収納ユニット５上のフレキシブルダクト１２内に収納することを特徴とする。【選択図】図６
2009117497.tif 000002
【特許請求の範囲】
【請求項１】
キャビネットのマウントアングルに取り付けられ、通信機器を載置した通信用ユニットと共にスライド動作により前面に引出し可能であり、前記通信機器を配線する通信線の余長を収納するための余長収納ユニットであって、該余長収納ユニットは、前記通信用ユニットに隣接する段に配置し、前記通信用ユニットの出線開口部に嵌合可能である突起を設け、前記通信用ユニットのスライド動作に連動させると共に、前記余長収納ユニットには伸曲自在のフレキシブルダクトを取り付け、前記通信用ユニットから出線された通信線を、前記通信用ユニットに設けられた出線開口部を通して前記余長収納ユニット上のフレキシブルダクト内に収納することを特徴とする余長収納ユニット。
【請求項２】
前記余長収納ユニットであって、該余長収納ユニットの左右端部に設けたマウント金具を介して、前記キャビネットのマウントアングルに取り付けると共に、前記フレキシブルダクトは一端は前記マウント金具に固定され、他端は前記余長収納ユニットに設けられた突起近傍に固定することを特徴とする請求項１に記載の余長収納ユニット。
【発明の詳細な説明】
【技術分野】
【０００１】
本発明は、キャビネットのマウントアングルに取り付けられ、通信機器を載置した通信用ユニットと共にスライド動作により前面に引出し可能であり、通信機器を配線する通信線の余長を収納するための余長収納ユニットに関するものである。
【背景技術】
【０００２】
光通信のための機器をキャビネットに収納する場合、キャビネットのマウントアングルに取り付けられた台板に通信ユニットを配置する。通信ユニットは前面にポートが設けられ、ポートに通信線を接続して配線する。接続や配線の作業、保守点検等を行うため、キャビネットから機器を載置したユニットを引き出し可能に構成することが多い。その場合、通信線はユニットを引き出す分の余長を取る必要がある。ただし、ユニットを収納した状態では、余長はキャビネットの側面方向に寄せ垂らしていた。
【特許文献１】特開２００６−４７５３５号公報
【発明の開示】
【発明が解決しようとする課題】
【０００３】
上記余長の収納方法では、整理しにくいので束ねて収納する場合もあった。しかしながら、通信用ユニットを引き出す際には、束ねていた通信線をばらさなくては、ユニットを引き出せず、作業が面倒であった。また、通信用ユニットを引き出す動作に合わせて通信線も一緒に移動するため、キャビネットに搭載している他の機器に引っかかり断線の虞があった。
【課題を解決するための手段】
【０００４】
そこで本発明は、通信線の余長処理をすることが容易に且つ安全に行うことができる余長収納ユニットを提供することを目的とし、その構造は、余長収納ユニットは、通信用ユニットに隣接する段に配置し、通信用ユニットの出線開口部に嵌合可能である突起を設け、通信用ユニットのスライド動作に連動させると共に、余長収納ユニットには伸曲自在のフレキシブルダクトを取り付け、通信用ユニットから出線された通信線を、通信用ユニットに設けられた出線開口部を通して余長収納ユニット上のフレキシブルダクト内に収納することを特徴とする。
【０００５】
また、余長収納ユニットの左右端部に設けたマウント金具を介して、キャビネットのマウントアングルに取り付けると共に、フレキシブルダクトは一端はマウント金具に固定され、他端は余長収納ユニットに設けられた突起近傍に固定することを特徴とする。
【発明の効果】
【０００６】
本発明に係る余長収納ユニットは、通信用ユニットに隣接する段に配置し、通信用ユニットの出線開口部に嵌合可能である突起を設け、通信用ユニットのスライド動作に連動させると共に、余長収納ユニットには伸曲自在のフレキシブルダクトを取り付け、通信用ユニットから出線された通信線を、通信用ユニットに設けられた出線開口部を通して余長収納ユニット上のフレキシブルダクト内に収納するため、余長処理が簡単にできるので作業性を大幅に向上することができる。
【０００７】
また、余長収納ユニットの左右端部に設けたマウント金具を介して、キャビネットのマウントアングルに取り付けると共に、フレキシブルダクトは一端はマウント金具に固定され、他端は余長収納ユニットに設けられた突起近傍に固定するため、通信用ユニットを引き出す際にも、余長の心配をする必要がなく、安全に通信用ユニットを移動させることができる。また、通信線の余長がキャビネットに収納されている他の機器や、キャビネットの部品等に引っ掛かって断線する虞もない。
【発明を実施するための最良の形態】
【０００８】
本発明に係る余長収納ユニットの実施例を図１〜図５の添付図面に基いて説明する。
【０００９】
キャビネット１には、前面にスライド動作により引き出し可能である台板２を積層し、それぞれ通信機器３や通信線（図示せず）を収納しユニットを形成している。通信機器３を搭載した通信用ユニット４の上部または下部に、通信機器３間を配線する通信線を収納する余長収納ユニット５を配置する。通信機器３の設置や配線、保守等の作業時に、通信用ユニット４をキャビネット１の前面に引き出すため、通信機器３に接続されている通信線は、少なくとも引き出し分は余分な長さを取っておく必要があり、その余長分を余長収納ユニット５に収納する。
【００１０】
台板２は、通信機器３や余長を収納する収納部６とスライド動作を行うスライド部７を形成し、スライド部７外側にはマウント金具８を取り付け、キャビネット１のマウントアングル９に取り付け可能とする。マウント金具８は断面略コ字状で、収納部６を支持する構造である。余長収納ユニット５は、収納した通信線に負荷がかからないように、通信用ユニット４のスライド動作に連動させるため、収納部６に突起１０を設ける。突起１０は、通信用ユニット４に設けられている、通信線を通すための出線開口部１１に係止可能である。余長収納ユニット５を通信用ユニット４に係止させることで、通信用ユニット４をキャビネット１の前面に引き出したとき、余長収納ユニット５も同時に引き出される構造である。
【００１１】
余長収納ユニット５には、フレキシブルダクト１２を取り付ける。フレキシブルダクト１２は通信線を挿通できる中空構造で、中空部分に通信線を挿通したとき、伸曲自在なので、通信線に負荷を与えることがない。
【００１２】
通信機器３から出線された通信線を、通信用ユニット４に設けられた出線開口部１１へ通して余長収納ユニット５へ入線する。その通信線はフレキシブルダクト１２により、折り曲げられたりすることなく、通信に影響がないように保護される。
【００１３】
本発明の請求項２に係る余長収納ユニット５は、請求項１に記載のフレキシブルダクト１２の取り付け方法に関する。フレキシブルダクト１２の一端は、通信用ユニット４から出線された通信線が余長収納ユニット５に入線したすぐの位置で保護されるように、余長収納ユニット５上の、通信用ユニット４に設けられた出線開口部１１近傍Ａにねじ止め等により固定する。そして、他端は、余長収納ユニット５を構成する台板２をキャビネット１のマウントアングル９に取り付けるためのマウント金具８に固定する。
【００１４】
通信機器３の前面にあるポート３ａから出線された通信線は、通信用ユニット４の出線開口部１１から余長収納ユニット５へと送られ、余長収納ユニット５に入線されたすぐの位置でフレキシブルダクト１２に通される。フレキシブルダクト１２を通って、余長収納ユニット５上に通信線の余長は保持され、マウント金具８へと送られる。
【００１５】
マウント金具８がキャビネット１に固定されているので、マウント金具８に固定されているフレキシブルダクト１２の一端は、定位置にある。一方、フレキシブルダクト１２の他端は収納部６に固定されているので、ユニットを引き出した場合には、収納部６と共に引き出される。フレキシブルダクト１２により束ねられているが、余長分も整然と整理され、ユニットが引き出される動作にも対応できる構造である。
【図面の簡単な説明】
【００１６】
【図１】通信用ユニットと余長収納ユニットをキャビネットに搭載した状態を示す説明図である。
【図２】図１における通信ユニットと余長収納ユニットをキャビネットの前面に引き出した状態を示す説明図である。
【図３】通信用ユニットを示す説明図である。
【図４】余長収納用ユニットを示す説明図である。
【図５】図３における余長収納ユニットを引き出した状態を示す説明図である。
【図６】通信用ユニットと余長収納ユニットを積層した状態を示す説明図である。
【図７】図４における通信用ユニットを引き出した状態を示す説明図である。
【符号の説明】
【００１７】
１    キャビネット
２    台板
３    通信機器
３ａ  ポート
４    通信用ユニット
５    余長収納ユニット
６    収納部
７    スライド部
８    マウント金具
９    マウントアングル
１０  突起
１１  出線開口部
１２  フレキシブルダクト
【図１】
2009117497.tif 000003
【図２】
2009117497.tif 000004
【図３】
2009117497.tif 000005
【図４】
2009117497.tif 000006
【図５】
2009117497.tif 000007
【図６】
2009117497.tif 000008
【図７】
2009117497.tif 000009